(57)【要約】【課題】原稿から異なる波長域の光による画像信号の各々を高精度に読み取ることができる画像読取装置、画像形成装置、及びプログラムを提供する。【解決手段】ＣＣＤイメージセンサの垂直転送期間の立下りタイミング（ラッチタイミング）Ｔｏで赤外ＬＥＤを点灯させるのに先だって、白色ＬＥＤが消灯してからの黄色の蛍光物質の残光が充分に少ない光量になるまでの残光消失時間Ｔｔｈより以前に、白色ＬＥＤを消灯させる。これにより、白色ＬＥＤがオフされた際の緩慢な応答特性によって、黄色の蛍光物質の発光が残光としてＣＣＤイメージセンサに照射される場合であっても、白色ＬＥＤの光と赤外ＬＥＤによる光とが合成された混色状態になることはない。【選択図】図１２
2017183795.tif 000002
【特許請求の範囲】
【請求項１】
第１波長域の光を照射する光源、及び前記第１波長域と異なる第２波長域の光を照射する光源を含む光源部と、
前記光源部から照射された光で照明された原稿を読み取る読取手段と、
前記光源部の光源を交互に点灯及び消灯させる際に、点灯中の光源を消灯させた場合に、消灯中の光源を点灯させるタイミングより前に、消灯させた光源から照射される光量が予め定めた光量以下になるタイミングで、点灯中の光源を消灯させるように前記光源部を制御する制御手段と、
を備えた画像読取装置。
【請求項２】
消灯させた光源から照射される光量は、点灯中の光源を消灯させた場合の残光の光量である、
請求項１に記載の画像読取装置。
【請求項３】
前記読取手段は、受光した光に応じた電荷を蓄積する電荷結合素子に蓄積された電荷を垂直転送及び水平転送することで画像信号として取り出す半導体素子を備え、
前記制御手段は、水平転送期間中に点灯中の光源を消灯させるよう制御する、
請求項１又は請求項２に記載の画像読取装置。
【請求項４】
前記第１波長域は、可視波長域であり、前記第２波長域は、近赤外波長域である
請求項１から請求項３の何れか１項に記載の画像読取装置。
【請求項５】
前記光源部は、青色光と、該青色光により励起されて発光した黄色光とにより、可視波長域の白色光を前記第１波長域の光として照射する白色ＬＥＤ光源、及び近赤外波長域の光を前記第２波長域の光として照射する赤外ＬＥＤ光源を含み、
前記制御手段は、消灯中の赤外ＬＥＤ光源を点灯させるタイミングより前に、消灯させた白色ＬＥＤ光源から照射される黄色光の光量が予め定めた光量以下になるタイミングで、点灯中の白色ＬＥＤ光源を消灯させるように前記光源部を制御する
請求項１から請求項３の何れか１項に記載の画像読取装置。
【請求項６】
請求項１から請求項５の何れか１項に記載の画像読取装置と、
前記画像読取装置から出力された画像信号に基づいて画像を形成する画像形成手段と、
を備えた画像形成装置。
【請求項７】
第１波長域の光を照射する光源、及び前記第１波長域と異なる第２波長域の光を照射する光源を含む光源部から照射された光で照明された原稿を読み取るために、前記光源部の光源を交互に点灯及び消灯させる際に、点灯中の光源を消灯させた場合に、消灯中の光源を点灯させるタイミングより前に、消灯させた光源から照射される光量が予め定めた光量以下になるタイミングで、点灯中の光源を消灯させるように前記光源部を制御する
ことを含む処理をコンピュータに実行させるためのプログラム。
【発明の詳細な説明】
【技術分野】
【０００１】
本発明は、画像読取装置、画像形成装置、及びプログラムに関する。
【背景技術】
【０００２】
特許文献１には一度のスキャンで、原稿上の画像及びこの画像とは波長域が異なる他の画像を共に読み取ることを可能とする技術が開示されている。この技術では、白色光源の白色光による原稿の反射光を受光すること、及び赤外光源の赤外光による原稿の反射光を受光することを切り替えることで、原稿に形成された可視画像及び不可視画像を読み取っている。
【０００３】
特許文献２には、１回の副走査で、原稿の可視画像情報及び赤外画像情報の双方を取得することを可能とする技術が開示されている。この技術では、１回の主走査方向の読み取り（主走査）毎に、可視照明装置と赤外照明装置の点灯動作を切り替えて、原稿と結像光学系との１回の副走査方向の相対位置の変移（副走査）で、原稿の可視画像情報と赤外画像情報を取得している。
【先行技術文献】
【特許文献】
【０００４】
【特許文献１】特開２００７−２４３２４９号公報
【特許文献２】特開２００６−３３３０７８号公報
【発明の概要】
【発明が解決しようとする課題】
【０００５】
本発明は、波長域が異なる光を照射する複数の光源を交互に点灯及び消灯させる際に、消灯させた光源から照射される光を考慮しない場合に比べて、光源から照射された光で照明された原稿を読み取る際に他方の光源からの光の影響を抑えることができる画像読取装置、画像形成装置、及びプログラムを提供することを目的とする。
【課題を解決するための手段】
【０００６】
上記目的を達成するために、請求項１に記載の画像読取装置は、第１波長域の光を照射する光源、及び前記第１波長域と異なる第２波長域の光を照射する光源を含む光源部と、前記光源部から照射された光で照明された原稿を読み取る読取手段と、前記光源部の光源を交互に点灯及び消灯させる際に、点灯中の光源を消灯させた場合に、消灯中の光源を点灯させるタイミングより前に、消灯させた光源から照射される光量が予め定めた光量以下になるタイミングで、点灯中の光源を消灯させるように前記光源部を制御する制御手段と、を備えている。
【０００７】
請求項２に記載の画像読取装置は、請求項１に記載の画像読取装置において、消灯させた光源から照射される光量は、点灯中の光源を消灯させた場合の残光の光量である。
【０００８】
請求項３に記載の画像読取装置は、請求項１又は請求項２に記載の画像読取装置において、前記読取手段は、受光した光に応じた電荷を蓄積する電荷結合素子に蓄積された電荷を垂直転送及び水平転送することで画像信号として取り出す半導体素子を備え、前記制御手段は、水平転送期間中に点灯中の光源を消灯させるよう制御する。
【０００９】
請求項４に記載の画像読取装置は、請求項１から請求項３の何れか１項に記載の画像読取装置において、前記第１波長域は、可視波長域であり、前記第２波長域は、近赤外波長域である。
【００１０】
請求項５に記載の画像読取装置は、請求項１から請求項３の何れか１項に記載の画像読取装置において、前記光源部は、青色光と、該青色光により励起されて発光した黄色光とにより、可視波長域の白色光を前記第１波長域の光として照射する白色ＬＥＤ光源、及び近赤外波長域の光を前記第２波長域の光として照射する赤外ＬＥＤ光源を含み、前記制御手段は、消灯中の赤外ＬＥＤ光源を点灯させるタイミングより前に、消灯させた白色ＬＥＤ光源から照射される黄色光の光量が予め定めた光量以下になるタイミングで、点灯中の白色ＬＥＤ光源を消灯させるように前記光源部を制御する。
【００１１】
請求項６に記載の画像形成装置は、前記請求項１から請求項５の何れか１項に記載の画像読取装置と、前記画像読取装置から出力された画像信号に基づいて画像を形成する画像形成手段と、を備えている。
【００１２】
請求項７に記載のプログラムは、第１波長域の光を照射する光源、及び前記第１波長域と異なる第２波長域の光を照射する光源を含む光源部から照射された光で照明された原稿を読み取るために、前記光源部の光源を交互に点灯及び消灯させる際に、点灯中の光源を消灯させた場合に、消灯中の光源を点灯させるタイミングより前に、消灯させた光源から照射される光量が予め定めた光量以下になるタイミングで、点灯中の光源を消灯させるように前記光源部を制御することを含む処理をコンピュータに実行させるためのものである。
【発明の効果】
【００１３】
請求項１、請求項６、及び請求項７に記載の発明によれば、波長域が異なる光を照射する複数の光源を交互に点灯及び消灯させる際に、消灯させた光源から照射される光を考慮しない場合に比べて、光源から照射された光で照明された原稿を読み取る際に他方の光源からの光の影響を抑えることができる。
【００１４】
請求項２に記載の発明によれば、点灯中の光源を消灯させた場合の残光を考慮しない場合と比べて、点灯中の光源を消灯させた場合の残光の影響を抑制することができる。
【００１５】
請求項３に記載の発明によれば、水平転送期間中に点灯中の光源を消灯させない場合に比べて、他方の光源からの光の影響を抑えて画像信号の各々を取り出すことができる。
【００１６】
請求項４に記載の発明によれば、可視画像と赤外吸収材料による画像とを読み取ることができる。
【００１７】
請求項５に記載の発明によれば、青色光と、該青色光により励起されて発光した黄色光とから白色光を照射する白色ＬＥＤ光源及び赤外ＬＥＤ光源を用いた際に、白色ＬＥＤ光源を消灯させた場合の黄色光の残光を考慮しない場合と比べて、光源部から照射された光の混色を抑制することができる。
【図面の簡単な説明】
【００１８】
【図１】本実施の形態に係る画像形成装置の全体構成の一例を示す概略構成図である。
【図２】本実施の形態に係る画像読取装置の構成の一例を示す概略構成図である。
【図３】本実施の形態に係る照明ユニットの構成の一例を示す概略構成図である。
【図４】本実施の形態に係る受光部の構成の一例を示す概略構成図である。
【図５】照明ユニット及びＣＣＤイメージセンサの各々の波長特性を示す特性図である。
【図６】本実施の形態に係る制御部の一例の概略構成図である。
【図７】本実施の形態に係る制御部の一例の機能ブロック図である。
【図８】本実施の形態に係る白色ＬＥＤ及び赤外ＬＥＤの点灯及び消灯を垂直転送期間に行う一例を示すタイミングチャートである。
【図９】本実施の形態に係るＣＣＤイメージセンサにおいて光電変換した電荷を転送する動作の説明図である。
【図１０】本実施の形態に係る白色ＬＥＤにおける黄色蛍光体の残光の一例を説明するためのタイムチャートである。
【図１１】電子写真によるＹＭＣＫの各色による中間調色パッチにおける、墨入れの影響の一例を示す特性図である。
【図１２】本実施形態に係る白色ＬＥＤ及び赤外ＬＥＤの点灯及び消灯の一例を説明するためのタイムチャートである。
【図１３】本実施の形態に係る照明ユニットにおける点滅処理の一例を示すフローチャートである。
【発明を実施するための形態】
【００１９】
以下、図面を参照して本発明の実施の形態の一例を詳細に説明する。
【００２０】
図１に、本実施の形態に係る画像形成装置の構成の一例を示す。
図１に示すように、本実施の形態の画像形成装置１０は、複写機能やプリント機能やファクシミリ機能等を複合的に備えた多機能装置であり、画像読取装置１２と、画像形成装置部１４と、で構成されている。
【００２１】
まず、画像形成装置部１４について説明する。本実施の形態の画像形成装置部１４は、各色の画像データに基づき画像を形成する画像形成部２０と、画像形成装置１０全体の動作を制御する形成側制御部４０と、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、及びインターネット等のネットワークを介してパーソナルコンピュータ(ＰＣ)等の外部装置から画像データを受信する通信部４４と、を備えている。また、本実施の形態の画像形成装置部１４は、公衆回線を通じて画像データの送受信を行うファクシミリ（ＦＡＸ）部４６と、画像読取装置１２や通信部４４等から転送された画像データに対して予め定められた画像処理を施す画像処理部４２と、ユーザからの指示を受け付けたり、画像読取及び画像形成に関する情報をユーザに提示したりするＵ／Ｉ（ユーザインターフェイス）部４８と、を備えている。
【００２２】
画像形成部２０は、例えば電子写真方式により画像を形成する機能部であって、並列的に配置される４つの画像形成ユニット２１Ｙ、２１Ｍ、２１Ｃ、２１Ｋ（以下、総称する場合は、画像形成ユニット２１という）を備えている。各画像形成ユニット２１は、例えば、静電潜像を形成してトナー像を保持する感光体ドラム２２、感光体ドラム２２の表面を予め定められた電位で帯電する帯電器２３、帯電器２３によって帯電された感光体ドラム２２を画像データに基づいて露光するプリントヘッド２４、感光体ドラム２２上に形成された静電潜像を現像する現像器２５、及び転写後の感光体ドラム２２表面を清掃するクリーナ２６で構成されている。
【００２３】
また、画像形成部２０は、各画像形成ユニット２１の感光体ドラム２２にて形成された各色トナー像が多重転写される中間転写体２７、各画像形成ユニット２１による各色トナー像を中間転写体２７に順次転写（一次転写）させる一次転写ロール２８、中間転写体２７上に転写されて重ね合わされたトナー像を記録材（記録用紙Ｐ）に一括転写（二次転写）させる二次転写ロール２９、及び二次転写された画像を記録用紙Ｐ上に定着させる定着器３０を備えている。
【００２４】
画像形成部２０の各画像形成ユニット２１は、電子写真方式によりイエロー（Ｙ）、マゼンタ（Ｍ）、シアン（Ｃ）、及びブラック（Ｋ）の各色トナー像を形成する。各画像形成ユニット２１で形成された各色トナー像は、一次転写ロール２８により中間転写体２７上に順次静電転写され、各色トナーが重ね合わされた合成トナー像が形成される。中間転写体２７上の合成トナー像は、中間転写体２７の移動（図１の矢印Ａ方向）に伴って二次転写ロール２９が配置された領域に搬送され、用紙収納部３１Ａ、３２１Ｂから供給（図１の矢印Ｂ方向）される記録用紙Ｐ上に一括して静電転写される。その後、記録用紙Ｐ上に静電転写された合成トナー像は、定着器３０によって定着処理を受けて記録用紙Ｐ上に定着される。
【００２５】
次に、本実施の形態の画像読取装置１２について説明する。
図２に、本実施の形態の画像読取装置１２の一例の概略構成を示す。本実施の形態の画像読取装置１２は、自動原稿送り装置５０と、原稿の表面に形成された画像を読み取る画像読取処理部５２と、を備えて構成されている。
【００２６】
本実施の形態の自動原稿送り装置５０は、少なくとも１枚の原稿が置かれる原稿台６０と、原稿を搬送する原稿搬送路６１と、画像を読み取った後の原稿が排出される排出台６２と、を含んで構成されている。
【００２７】
原稿搬送路６１は、Ｕ字状に形成され、原稿搬送路６１の周囲には、用紙送出ロール６３、送出ロール６４、プリ位置合わせロール６５、位置合わせロール６６、プラテンロール６７、アウトロール６８、及び排出ロール６９が設けられている。用紙送出ロール６３は、原稿送り時に下降し、原稿台６０に置かれた原稿をピックアップする。送出ロール６４は、用紙送出ロール６３から送られた原稿のうち最上部にある原稿を内部に供給する。プリ位置合わせロール６５は、送出ロール６４から送られた原稿を一時停止させ、斜行補正する。位置合わせロール６６は、プリ位置合わせロール６５から送られた原稿を一時停止させ、読取りタイミングを調整する。プラテンロール６７は、原稿搬送路２６１通る原稿を第２プラテンガラス７４に対峙させる。アウトロール６８及び排出ロール６９は、読み取った原稿を排出台６２へ排出する。
【００２８】
本実施の形態の画像読取装置１２は、原稿台６０から自動原稿送り装置５０により送られた原稿の表面を流し読みする機能と、第１プラテンガラス７０上に置かれた原稿の表面を読み取る機能と、を備えている。
【００２９】
本実施の形態の画像読取処理部１４は、筐体７５内に、ＣＣＤイメージセンサ８８、及び読取側制御部９０を備えている。また、画像読取装置１２は、筐体７５内に、第２プラテンガラス７４の読取位置に静止するか、または第１プラテンガラス７０の全体に亘って走査（スキャン）しながら画像を読み取るフルレートキャリッジ７６、フルレートキャリッジ７６から得られた光をＣＣＤイメージセンサ８８に導くハーフレートキャリッジ７８を備えている。
【００３０】
筐体７５の自動原稿送り装置５０に対向する面には、図２に示すように、画像を読み取る原稿が置かれる第１プラテンガラス７０、白基準板７２、及び自動原稿送り装置５０によって搬送中の原稿を読み取るために原稿に光を照射するための開口部となる第２プラテンガラス７４が設けられている。
【００３１】
フルレートキャリッジ７６は、原稿に光を照射する光源を備えた照明ユニット８０、照明ユニット８０から出射された光を原稿面に向けて拡散させながら反射する拡散反射部材８３、原稿面から得られた反射光をハーフレートキャリッジ７８に向けて反射する第１ミラー８２を備えている。
【００３２】
ハーフレートキャリッジ７８は、フルレートキャリッジ７６から得られた光をＣＣＤイメージセンサ８８へ導く第２ミラー８５及び第３ミラー８４を備えている。
【００３３】
図３に、本実施の形態に係る照明ユニット８０の一例の概略構成を示す。
本実施の形態の照明ユニット８０は、基板８７と、光源として複数の白色発光ダイオード（ＬＥＤ：Ｌｉｇｈｔ  Ｅｍｉｔｔｉｎｇ  Ｄｉｏｄｅ、以下、白色ＬＥＤという）８１Ａと、複数の赤外発光ダイオード（以下、赤外ＬＥＤという）８１Ｂとを備えている。白色ＬＥＤ８１Ａは赤色（Ｒ）、緑色（Ｇ）、および青色（Ｂ）を含む白色光を発光する。また、赤外ＬＥＤ８１Ｂは赤外（ＩＲ）を含む赤外光を発光する。白色ＬＥＤ８１Ａおよび赤外ＬＥＤ８１Ｂは、長手方向すなわち原稿の主走査方向に沿って交互に配置されている。なお、本実施の形態では、中間転写体２７の搬送方向（図１、矢印Ａ方向）を副走査方向としており、これと交差する方向を主走査方向としている。
【００３４】
白色ＬＥＤ８１Ａは、青色ＬＥＤチップと黄色の蛍光物質を含有させた透明樹脂とが積層されて構成されている。青色ＬＥＤチップの放つ青色光によりチップ周囲の黄色蛍光物質を励起させて、黄色の蛍光を発生させる。それにより、補色関係にある青色と黄色とを足し合わせて（合成させて）、白色光を生成する。
【００３５】
図４に、本実施の形態に係る受光部の一例としてのＣＣＤ（Ｃｈａｒｇｅ  Ｃｏｕｐｌｅｄ  Ｄｅｖｉｃｅ：電荷結合素子）イメージセンサ８８の一例の概略構成を示す。
【００３６】
本実施の形態のＣＣＤイメージセンサ８８は、図１に示すように、ハーフレートキャリッジ７８から得られた光学像を光学的に縮小する結像レンズ８６によって結像された光学像を光電変換してＲ（赤）、Ｇ（緑）、Ｂ（青）の各色信号（画像信号）としての電荷を蓄積する機能を有している。ＣＣＤイメージセンサ８８は、原稿からの反射光を画素単位で光電変換し、Ｒ、Ｇ、Ｂのアナログの画像信号を出力する。
【００３７】
図４に示すように、本実施の形態のＣＣＤイメージセンサ８８は、一例として、Ｒ、Ｇ、Ｂの各色用の１次元ラインセンサが３列一組で配置された構成としている。具体的には、ＣＣＤイメージセンサ８８は、矩形状のセンサ基板８８ａとこのセンサ基板８８ａ上に３本の画素列（複数の画素列）８８Ｒ、８８Ｇ、８８Ｂとを有している。なお、以下の説明では、これら３本の画素列８８Ｒ、８８Ｇ、８８Ｂを、それぞれ赤用画素列８８Ｒ、緑用画素列８８Ｇ、青用画素列８８Ｂと呼ぶ。赤用画素列８８Ｒ、緑用画素列８８Ｇ、および青用画素列８８Ｂは、原稿の搬送方向と直交する方向（主走査方向）に並列に配置されている。赤用画素列８８Ｒ、緑用画素列８８Ｇ、青用画素列８８Ｂは、それぞれ例えば１０μｍ×１０μｍのフォトダイオードＰＤを直線上にｋ個並べて構成される。なお、本実施の形態では、赤用画素列８８Ｒ、緑用画素列８８Ｇ、青用画素列８８Ｂによる主走査方向の読み取り解像度（以下の説明では主走査方向解像度と呼ぶ）が、例えば６００ｓｐｉ（sample per inch）となるように設定されている。そして、青用画素列８８Ｂと緑用画素列８８Ｇとの間隔、および緑用画素列８８Ｇと赤用画素列８８Ｒとの間隔は、それぞれ、副走査方向２ライン分となっている。
【００３８】
ここで、赤用画素列８８Ｒ、緑用画素列８８Ｇ、および青用画素列８８Ｂには、それぞれに異なる波長成分を透過するためのカラーフィルタが装着されており、それぞれ、赤（Ｒ）用の画素列、緑（Ｇ）用の画素列、青（Ｂ）用の画素列、すなわちカラーセンサとして機能する。また、赤用画素列８８Ｒ、緑用画素列８８Ｇ、および青用画素列８８Ｂに装着される各カラーフィルタは、対応する可視光の他に、所定波長領域の赤外光も透過するようになっている。このため、赤用画素列８８Ｒ、緑用画素列８８Ｇ、および青用画素列８８Ｂは、赤外（ＩＲ：ＩｎｆｒａＲｅｄ）用の画素列としても機能する。
【００３９】
図５に、照明ユニット８０及びＣＣＤイメージセンサ８８の各々の波長特性を示す。
図５（１）は、白色ＬＥＤ８１Ａおよび赤外ＬＥＤ８１Ｂの波長−発光特性を示している。
白色ＬＥＤ８１Ａは、青色領域の発光波長（例えば４０５ｎｍ）を有する青紫色発光ダイオードおよび赤、緑、および青の蛍光体材料を含んで構成されており、青色領域（４００ｎｍ近傍）から緑色領域（５５０ｎｍ近傍）を挟んで赤色領域（８００ｎｍ近傍）まで連続する波長の光を出力する。白色ＬＥＤ８１Ａは、近赤外領域（８００ｎｍ〜１０００ｎｍ）ではほとんど発光しない。一方、赤外ＬＥＤ８１Ｂは、赤外領域の発光波長（中心波長８５０ｎｍ）を有する赤外発光ダイオードにて構成されている。ただし、赤外ＬＥＤ８１Ｂは、可視領域（４００ｎｍ〜８００ｎｍ）ではほとんど発光しない。従って、白色ＬＥＤ８１Ａは第１波長領域として可視領域の光を出力し、赤外ＬＥＤ８１Ｂは第２波長領域として赤外領域の光を出力することになる。
【００４０】
なお、本実施の形態では、上述した構成の白色ＬＥＤ８１Ａを用いているが、これに限られるものではない。図５（１）には、青色ＬＥＤ、緑色ＬＥＤ、および赤色ＬＥＤを組み合わせて製造された白色ＬＥＤ８１Ａの発光特性も示している。このように青色ＬＥＤ、緑色ＬＥＤ、および赤色ＬＥＤの三つを組み合わせることで白色光を生成することも可能である。そして、このようにして白色光を得た場合にも、近赤外領域での発光スペクトルは存在しないか、存在していても微弱である。仮に白色ＬＥＤ８１Ａが近赤外領域で発光スペクトルを有しており、カラー画像の特性に悪影響を与える場合には、白色ＬＥＤ８１Ａに近接して赤外成分を遮断する赤外カットフィルタを別途配置する必要がある。この場合、赤外カットフィルタは赤外ＬＥＤ８１Ｂの光路中には来ないようにレイアウトされる。
【００４１】
図５（２）は、赤用画素列８８Ｒ、緑用画素列８８Ｇ、青用画素列８８Ｂに設けられるカラーフィルタの波長−透過特性を示している。
青用画素列８８Ｂのカラーフィルタは、青色領域の波長の光を透過する一方、緑色領域や赤色領域の波長の光をほぼ遮断する。また、緑用画素列８８Ｇのカラーフィルタは、緑色領域の波長の光を透過する一方、青色領域や赤色領域の波長の光をほぼ遮断する。さらに、赤用画素列８８Ｒのカラーフィルタは、赤色領域の波長の光を透過する一方、青色領域や緑色領域の波長の光をほぼ遮断する。ただし、これら赤用画素列８８Ｒ、緑用画素列８８Ｇ、青用画素列８８Ｂに設けられるカラーフィルタは、近赤外領域（具体的には８５０ｎｍ近傍）の波長の光に対しては、それぞれ適度な透過性を有している。
【００４２】
また、読取側制御部９０は、画像読取装置１２全体の動作を制御する機能を有するものであり、また、本実施の形態の読取側制御部９０は、ＣＣＤイメージセンサ８８からの各色の画像信号（Ｒ、Ｇ、Ｂ）を処理して画像データを生成する機能を有している。読取側制御部９０は、信号線によって画像形成装置部１４の形成側制御部４０及び画像処理部４２にそれぞれ接続され、相互に制御信号や読取画像データ等の送受信を行う。
【００４３】
図６に、本実施の形態に係る読取側制御部９０の一例の概略構成を示す。
本実施の形態の読取側制御部９０は、ＣＰＵ９３、ＲＡＭ９４、ＲＯＭ９５、ＮＶＭ（Ｎｏｎ  Ｖｏｌａｔｉｌｅ  Ｍｅｍｏｒｙ：不揮発性メモリ）９７、及びＩ／Ｆ部９８を備えて構成されている。ＣＰＵ９３、ＲＡＭ９４、ＲＯＭ９５、ＮＶＭ９７、及びＩ／Ｆ（インターフェース）部９６は、コントロールバスやデータバス等のバス９９を介して互いに情報等の授受されるように接続されている。
【００４４】
ＣＰＵ９３は、原稿を読み取って生成した画像信号を処理するに際して、予め定められた処理プログラムに従ってデジタル演算処理を実行する機能を有する。ＲＡＭ９４は、ＣＰＵ９３でプログラム９６を実行する際の作業用の領域を確保するものである。ＲＯＭ９５は、ＣＰＵ９３での処理に使用される各種設定値等や各種処理のプログラム９６等が格納される。本実施の形態では、当該プログラム９６がＣＰＵ９３により実行されることにより、詳細を後述する照明ユニット８０における点滅処理が行われる。ＮＶＭ９７は、電源供給が途絶えた場合にもデータを保持される、電池によりバックアップされたフラッシュメモリ等である。また、Ｉ／Ｆ部９８は、信号処理部１００に接続される画像形成装置部１４の形成側制御部４０や画像処理部４２等の各構成部との信号の入出力を制御するものである。
【００４５】
なお、本実施の形態では、プログラム９６は、予め格納されている構成としているがこれに限らず、外部装置（図示省略）からＲＯＭ９５にインストールされるように構成してもよい。また、インターネット等のネットワークを介して信号処理部１００にプログラムが伝送され、信号処理部１００のＲＯＭ９５にインストールされるように構成してもよい。さらにまた、ＤＶＤ−ＲＯＭやフラッシュメモリ、ＵＳＢ等の外部記録媒体からＲＯＭ９５にインストールされるように構成してもよい。
【００４６】
次に、本実施の形態に係る読取側制御部９０の機能について詳細に説明する。
図７に、本実施の形態に係る読取側制御部９０を機能的に分類したブロックの一例を示す。
【００４７】
本実施の形態の読取側制御部９０は、信号処理部１００及び装置制御部１２０を備えている。読取側制御部９０は、信号処理部１００および装置制御部１２０を備えている。ここで、信号処理部１００は、ＣＣＤイメージセンサ８８（具体的には青用画素列８８Ｂ、緑用画素列８８Ｇ、赤用画素列８８Ｒ）から入力た画像データに処理を施す。また、装置制御部１２０は、画像読取装置１２のの動作を制御する。
【００４８】
まず、信号処理部１００は、前処理部１０２、可視後処理部１０４、赤外後処理部１０６、およびデータ合成部１０８を備えている。
【００４９】
前処理部１０２は、ＣＣＤイメージセンサ８８の青用画素列８８Ｂ、緑用画素列８８Ｇ、赤用画素列８８Ｒから入力された各画像データ（アナログデータ）をデジタルデータに変換する。また、前処理部１０２は、デジタルデータに変換された各画像データを、不可視画像用の画像データおよび可視画像用の画像データに分離して出力する。
【００５０】
詳細には、前処理部１０２では、ＣＣＤイメージセンサ８８の青用画素列８８Ｂ、緑用画素列８８Ｇ、赤用画素列８８Ｒからの各データが、ゲイン・オフセット調整等のアナログ補正が施された後、デジタルデータに変換される。ここで、ＣＣＤイメージセンサ８８から取得するデータは、白色ＬＥＤ８１Ａ（図２参照）の点灯時に取得されたデータと、赤外ＬＥＤ８１Ｂ（図２参照）の点灯時に取得されたデータとがある。そこで、前処理部１０２では、デジタルデータに変換されたデータを、白色ＬＥＤ８１Ａの点灯により取得した可視データ（可視画像用の画像データ）および赤外ＬＥＤ８１Ｂの点灯により取得した赤外データ（不可視画像用の画像データ）に分離して出力する。つまり、前処理部１０２には、光源制御部１２８からＬＥＤ点灯切換信号が入力されており、前処理部１０２はこのＬＥＤ点灯切換信号に基づいて赤外データ及び可視データの分離出力動作を行う。従って、前処理部１０２は、分離された可視データを、可視後処理部１０４に向けて出力し、赤外データを赤外後処理部１０６に向けて出力する。
【００５１】
可視後処理部１０４は、入力された可視画像用の画像データに対して所定の画像処理を施し、画像情報として出力する。
【００５２】
詳細には、可視後処理部１０４は、ＣＣＤイメージセンサ８８からの各色のアナログ画像信号（Ｒ、Ｇ、Ｂ）をサンプリング（標本化）すると共に予め定められた期間ホールド（保持）し、サンプルホールドされたアナログ画像信号（Ｒ、Ｇ、Ｂ）について、読み取られた原稿（以下、読取原稿という）の黒に対応する出力と画像読取装置１２の出力の黒レベルとが一致（略一致も含む）するように調整する機能を有する。また、可視後処理部１０４は、黒レベル調整された後のアナログ画像信号（Ｒ、Ｇ、Ｂ）を増幅し、増幅されたアナログ画像信号（Ｒ、Ｇ、Ｂ）をＡ/Ｄ変換し、デジタルデータである画像データ（Ｒ、Ｇ、Ｂ）に変換する機能を有する。さらに、可視後処理部１０４は、Ａ／Ｄ変換された画像データ（Ｒ、Ｇ、Ｂ）に対して、照明ユニット８０やＣＣＤイメージセンサ８８に起因する読取出力のムラを補正すると共に、読取原稿の白レベルと画像読取装置１２の出力の白レベルとが一致（略一致も含む）するように調整するシェーディング補正、及びＣＣＤイメージセンサ８８を構成するＲ用、Ｇ用、Ｂ用の１次元ラインセンサの副走査方向における位置のずれに起因して生じる各画像データ間の読取り時間差を、遅延回路等で例えばＲの画像データを基準に補正する機能を有する。
【００５３】
そして、可視後処理部１０４は、色変換パラメータ（色変換係数群）を用いて、ＲＧＢ色空間（第１の色空間：デバイス依存色空間）の画像データ（Ｒ、Ｇ、Ｂ）を輝度色差色空間であるＬ＊ａ＊ｂ＊色空間（第２の色空間：デバイス非依存色空間）の画像データ（Ｌ＊、ａ＊、ｂ＊）に変換する色変換処理を行う機能を有する。ここで、「色変換パラメータ」とは、例えばＲＧＢ色空間の画像データ（Ｒ、Ｇ、Ｂ）をＬ＊ａ＊ｂ＊色空間の画像データ（Ｌ＊、ａ＊、ｂ＊）に変換する際に、画像データ（Ｒ、Ｇ、Ｂ）と画像データ（Ｌ＊、ａ＊、ｂ＊）との対応関係を規定するものをいう。色変換処理としては、例えば、マトリクス演算や多次元（３次元）ルックアップテーブル（ＤＬＵＴ（Ｄｉｒｅｃｔ  Ｌｏｏｋ−Ｕｐ  Ｔａｂｌｅ））を用いる方法等が挙げられるが、特に限定されるものではない。
【００５４】
可視後処理部１０４にて色変換処理された画像データ（Ｌ＊、ａ＊、ｂ＊）は、データ合成部１０８を介して、画像形成装置部１４に備えられた画像処理部４２に転送され、出力色空間であるＣＭＹＫ色空間（デバイス依存色空間）の画像データ（Ｃ、Ｍ、Ｙ、Ｋ）への色変換処理等が行われる。なお、この出力色空間の画像データ（Ｃ、Ｍ、Ｙ、Ｋ）への色変換処理等を行う画像処理部４２は、画像読取装置１２の内部に設けるように構成してもよい。
【００５５】
従って、可視後処理部１０４では、ＣＣＤイメージセンサ８８からの３つのアナログ画像信号（Ｒ、Ｇ、Ｂ）が、サンプリングされた後、黒レベルが調整され、さらに、予め定めた信号レベルに増幅される。増幅されたアナログ画像信号（Ｒ、Ｇ、Ｂ）は、Ａ／Ｄ変換され、デジタルデータである画像データ（Ｒ、Ｇ、Ｂ）が生成される。これらの画像データ（Ｒ、Ｇ、Ｂ）に対し、白基準板７２を読み取った画像データに基づいてＣＣＤイメージセンサ８８を構成する１次元ラインセンサの感度バラツキや光学系の光量分布特性に対応させた補正が施される。画像データ（Ｒ、Ｇ、Ｂ）は、副走査方向における位置ずれが補正された後、Ｌ＊ａ＊ｂ＊色空間の画像データ（Ｌ＊、ａ＊、ｂ＊）に変換され、データ合成部１０８を介して出力される。
【００５６】
赤外後処理部１０６は、入力された不可視画像用の画像データに対して画像解析を行い、不可視画像に含まれる識別情報を取り出して出力する。なお、赤外後処理部１０６は、入力された不可視画像用の画像データに対して画像処理を施した画像データを出力するようにしてもよい。
【００５７】
詳細には、赤外後処理部１０６は、入力された赤外データに含まれるコード画像から識別情報を解析し、得られた識別情報を、データ合成部１０８を介して出力する機能を有している。赤外後処理部１０６は、原稿の赤外画像データのシェーディング補正に使用される赤外シェーディングデータを取得することができる。例えば、入力された赤外データ（Ｒ，Ｇ，Ｂの各色）に対し、対応する青用画素列８８Ｂ、緑用画素列８８Ｇ、および赤用画素列８８Ｒ各々のフォトダイオードＰＤの感度のばらつきやＬＥＤ光源（この場合は赤外ＬＥＤ８１Ｂ）の光量分布特性に応じた補正を施すことができる。
【００５８】
データ合成部１０８は、赤外後処理部１０６から出力された識別情報と可視後処理部１０４から出力された画像情報とを合成（対応付け）し、画像形成装置部１４に向けて出力する。なお、データ合成部１０８は、例えば後段に設けられたＰＣ（PersonalComputer）等の電子機器に向けて出力するようにしてもよい。
【００５９】
次に、装置制御部１２０について説明する。
本実施の形態の装置制御部１２０は、全体制御部１２２、ＣＣＤ制御部１２６、光源制御部１２８、スキャン制御部１３０、及び原稿搬送制御部１３２を備えている。
【００６０】
全体制御部１２２は、Ｕ／Ｉ部４８等により指示された原稿の読取りを制御すると共に、画像読取装置１２の全体を制御する機能を有する。
【００６１】
ＣＣＤ制御部１２６は、ＣＣＤイメージセンサ８８の駆動を制御する機能を有する。光源制御部１２８は、原稿の読み取りタイミングに合わせて照明ユニット８０を制御する機能を有しており、本実施の形態では、全体制御部１２２の指示に基づいて、白色ＬＥＤ８１Ａ及び赤外ＬＥＤ８１Ｂの点灯及び消灯を制御する機能を有する。スキャン制御部１３０は、フルレートキャリッジ７６及びハーフレートキャリッジ７８の移動速度等の制御を行うことにより、スキャン動作を制御する機能を有する。原稿搬送制御部１３２は、自動原稿送り装置５０の動作を制御する機能を有する。ＣＣＤ制御部１２６、光源制御部１２８、スキャン制御部１３０、及び原稿搬送制御部１３２の各部からそれぞれ自動原稿送り装置５０及び画像読取処理部５２に制御信号が出力され、当該制御信号に基づいて、原稿の読み取り動作が行われる。
【００６２】
例えば、本実施の形態の画像読取装置１２において第１プラテンガラス７０に置かれた原稿を読み取る読取形式が指示された場合には、画像形成装置部１４のＵ／Ｉ部４８からのユーザの操作指示に基づき、画像形成装置部１４の形成側制御部４０が装置制御部１２０に対して第１プラテンガラス７０に載せられた原稿の読取りを指示する。
【００６３】
この場合、読取側制御部９０は、フルレートキャリッジ７６とハーフレートキャリッジ７８とをスキャン方向（図２矢印Ｃ方向）に移動させる。さらには、フルレートキャリッジ７６の照明ユニット８０を発光させ、原稿面を照射する。当該照射により、原稿からの反射光が第１ミラー８２、第２ミラー８５、及び第３ミラー８４を経て結像レンズ８６に導かれる。結像レンズ８６に導かれた光は、ＣＣＤイメージセンサ８８の受光面に結像される。ＣＣＤイメージセンサ８８は、Ｒ、Ｇ、Ｂ各色毎に１ライン分を略同時に処理する。そして、このライン方向の読取りを原稿サイズ全体に亘るスキャンによって実行することで、１ページ分の原稿読み取りを行う。そしてＣＣＤイメージセンサ８８によって得られた画像信号（Ｒ、Ｇ、Ｂ）は読取側制御部９０に転送され、信号処理部１００で画像データ（Ｌ＊、ａ＊、ｂ＊）が生成され、識別情報が対応付けられて画像処理部４２に出力される。
【００６４】
原稿の読取りでは、照明ユニット８０において、白色ＬＥＤ８１Ａ及び赤外ＬＥＤ８１Ｂの一方のＬＥＤを点灯させつつ他方のＬＥＤを消灯させる。つまり、原稿から可視画像を読み取る場合、白色ＬＥＤ８１Ａを点灯させつつ赤外ＬＥＤ８１Ｂを消灯させる。一方、原稿から識別情報を取得する場合、赤外ＬＥＤ８１Ｂを点灯させつつ白色ＬＥＤ８１Ａを消灯させる。これによりＣＣＤイメージセンサ８８の１ライン分について白色ＬＥＤ８１Ａ及び赤外ＬＥＤ８１Ｂの照射を切り替えることで、略同時に処理することができる。
【００６５】
なお、画像読取装置１２において原稿台６０に置かれた原稿を読み取る読取形式が指示された場合も、同様に、画像形成装置部１４の形成側制御部４０が読取側制御部９０に対して原稿台６０に置かれた原稿の読取りの指示がなされ、識別情報が対応付けられた画像データが出力される
【００６６】
ここで、本実施の形態に係る画像読取装置１２では、原稿から可視画像、及び不可視画像（識別情報）を取得するために、白色ＬＥＤ８１Ａ及び赤外ＬＥＤ８１Ｂの一方を点灯させつつ他方を消灯させる。この白色ＬＥＤ８１Ａ及び赤外ＬＥＤ８１Ｂの点灯及び消灯について説明する。
【００６７】
まず、光源である照明ユニット８０の動作について説明する。
図８に、白色ＬＥＤ８１Ａ及び赤外ＬＥＤ８１Ｂの点灯及び消灯を垂直転送期間ＶＴに行う一例をタイミングチャートで示す。
図８では、上段から下段の順序で、ＣＣＤ制御部１２６がＣＣＤイメージセンサ８８を動作させる制御信号（ＣＣＤ駆動クロック）、白色ＬＥＤ８１Ａを動作させる制御信号、白色ＬＥＤ８１Ａにおける青色ＬＥＤチップの発光輝度特性（応答性能）、白色ＬＥＤ８１Ａにおける黄色の蛍光物質の発光輝度特性（応答性能）、赤外ＬＥＤ８１Ｂを動作させる制御信号、及び赤外ＬＥＤ８１Ｂの発光輝度特性（応答性能）が示されている。
【００６８】
図８に示す例では、主走査方向１ラインの画像情報の転送期間をＣＣＤイメージセンサ８８における電荷蓄積期間としており、転送期間は、垂直転送期間ＶＴと、水平転送期間ＨＴとを含んでいる。また、図８に示す例では、垂直転送期間ＶＴに、照明ユニット８０における光源の点灯を、白色ＬＥＤ８１Ａから赤外ＬＥＤ８１Ｂに、または赤外ＬＥＤ８１Ｂから白色ＬＥＤ８１Ａに切り替えている。
【００６９】
つまり、図８に示すように、白色ＬＥＤ８１Ａを動作させる制御信号は、垂直転送期間ＶＴの立下りタイミングに同期してオン状態とされ、垂直転送期間ＶＴの立上りタイミングに同期してオフ状態とされる。一方、赤外ＬＥＤ８１Ｂを動作させる制御信号は、白色ＬＥＤ８１Ａと赤外ＬＥＤ８１Ｂとが同時にオンしないように、垂直転送期間ＶＴの立下りタイミングに同期してオン状態／オフ状態が交互に切り替えられる。
【００７０】
白色ＬＥＤ８１Ａを動作させる制御信号がオン状態とされることで、白色ＬＥＤ８１Ａにおける青色ＬＥＤチップが発光し、かつ黄色の蛍光物質が発光することによる白色光がＣＣＤイメージセンサ８８に照射される。また、赤外ＬＥＤ８１Ｂを動作させる制御信号がオン状態とされることで、赤外ＬＥＤ８１Ｂが発光し、赤外光がＣＣＤイメージセンサ８８に照射される。
【００７１】
次に、ＣＣＤイメージセンサ８８における動作（垂直転送及び水平転送）について説明する。
図９は、ＣＣＤイメージセンサ８８において光電変換した電荷を転送する動作の説明図である。図９では、センサ基板８８ａ上に配置された３本の画素列８８Ｒ、８８Ｇ、８８Ｂ（図４参照）のうちの１列を一例として示している。
【００７２】
図９においてフォトダイオードＰＤは、画像読取装置１２で原稿を読み取る際の１画素に対応し、フォトダイオードＰＤに光が照射されると光電変換が生じ、フォトダイオードＰＤに電荷が蓄積される。蓄積される電荷の量は、蓄積される時間（蓄積期間）及び照射される光の光量に比例する。フォトダイオードＰＤでは、予め定められた蓄積期間で電荷が蓄積され、蓄積された電荷が電気信号として取り出される。この際、一般的なＣＣＤイメージセンサ８８では、垂直転送と、水平転送とを行うことにより電荷（電気信号）を取り出す。フォトダイオードＰＤで蓄積された電荷は、まず垂直転送され、ＣＣＤ（Ｃｈａｒｇｅ  Ｃｏｕｐｌｅｄ  Ｄｅｖｉｃｅ：電荷結合素子）からなる半導体素子である電荷転送部Ｄに送られる。垂直転送された電荷をさらに、電荷転送部Ｄから電荷を順次水平転送することで、１ライン分の画像信号として取り出される。
【００７３】
フォトダイオードＰにおいて蓄積された電荷は、垂直転送期間ＶＴ（図８）において、フォトダイオードＰから電荷転送部Ｄへ転送される垂直転送が行われる。その後、水平転送期間ＨＴ（図８）において、電荷転送部Ｄにおける水平転送が行われる。なお、水平転送は、１ライン分の電荷が全て水平転送されるまで順次、ＣＣＤ駆動クロックのオン及びオフに応じて水平に１画素づつ転送される。また、垂直転送及び水平転送を行っている間、次の１ラインの電荷が光電変換されてフォトダイオードＰＤに蓄積される。
【００７４】
ところで、白色ＬＥＤ８１Ａ及び赤外ＬＥＤ８１Ｂの点灯と消灯が切り替わる際には、白色ＬＥＤ８１Ａ及び赤外ＬＥＤ８１Ｂのうちの消灯させた方の照射が残存し、点灯させた方の照射に影響を与える場合がある。例えば、白色ＬＥＤ８１Ａを消灯させて赤外ＬＥＤ８１Ｂを点灯させる際、消灯させた白色ＬＥＤ８１Ａの残光がＣＣＤイメージセンサ８８で受光される。白色ＬＥＤ８１Ａの残光は、赤外ＬＥＤ８１Ｂの点灯で得られる受光量に追加され、取得する赤外データのＳＮ劣化を招く。このような場合、原稿の読み取りを正常に行うことが困難になる場合がある。
【００７５】
具体的には、白色ＬＥＤ８１Ａにおける青色ＬＥＤチップの発光特性と、黄色の蛍光物質の発光特性とは相違する場合がある。図８に示す例では、白色ＬＥＤ８１Ａのオンオフに対して、青色ＬＥＤチップの応答特性に比べて、黄色の蛍光物質の応答特性は緩慢になっている（ｔｂ＜ＶＴ＜ｔｙ）。ここで、白色ＬＥＤ８１Ａがオフされた際の緩慢な応答特性によって、黄色の蛍光物質の発光が残光としてＣＣＤイメージセンサ８８に照射される。この黄色の蛍光物質による残光が垂直転送期間ＶＴを超えて残存する場合、赤外ＬＥＤ８１Ｂによる発光光と合成された混色状態となる。つまり、ＣＣＤイメージセンサ８８には、黄色の蛍光物質の残光と赤外ＬＥＤ８１Ｂの発光光とが混在して照射される。このため、ＣＣＤイメージセンサ８８では、黄色の蛍光物質の残光がノイズとして含まれて検出されることになる。
【００７６】
そこで、本実施の形態では、白色ＬＥＤ８１Ａの光、具体的には黄色の蛍光物質の残光と赤外ＬＥＤ８１Ｂの発光光とが混在しないように、照明ユニット８０を制御する。つまり、黄色の蛍光物質の残光が充分に少なくなってから赤外ＬＥＤ８１Ｂを発光させる。
【００７７】
白色ＬＥＤ８１Ａの消灯後に、黄色の蛍光物質の残光が充分に少ない光量を示す値は、次のように定めることができる。
【００７８】
一般的に、ラインスキャンタイプの画像読取装置に使用される白色ＬＥＤ８１Ａにおける黄色蛍光体の残光時間は、数μ秒〜数十μ秒であることが知られている。一方、ＣＣＤイメージセンサ８８のセンサ出力は露光量に比例（光量と露光時間の積算値）するため、スキャン動作の速度が高速になるのに従ってＣＣＤイメージセンサ８８のライン周期が短くなり、残光成分の影響は相対的に増大する。
【００７９】
図１０に、白色ＬＥＤ８１Ａにおける黄色蛍光体の残光の一例をタイムチャートで示す。
図１０では、上段から下段の順序で、白色ＬＥＤ８１Ａを動作させる制御信号、白色ＬＥＤ８１Ａにおける青色ＬＥＤチップの発光輝度特性（応答性能）、及び白色ＬＥＤ８１Ａにおける黄色の蛍光物質の発光輝度特性（応答性能）が示されている。例えば、６００ｄｐｉ、プロセス速度５００ｍｍ／ｓでスキャンする場合、ライン周期は８４．６μ秒となる。この場合、白色ＬＥＤ８１Ａを消灯した後の残光成分は徐々に減衰するものの、残光時間中では１０％を超える残光により混色を引き起こすことがある。
【００８０】
また、電子写真によるＹＭＣＫの各色のトナーを用いて画像形成する場合、墨入れを行うことが一般的である。墨入れとは、画像処理において、ＹＭＣの各色に変換された画像データのうち、ＹＭＣの共通量の一部をＫ色で置き換える処理を言う。
【００８１】
図１１に、電子写真によるＹＭＣＫの各色による中間調色パッチにおける、墨入れの影響の一例を示す。
図１１に示すように、ＲＧＢ読取り値が等しい場合（例えば正規化出力で[RGB]=[0,0,50]）であっても、墨入れ率によって、色彩値は変化する（目視で異なる色に見える）ことを示している。換言すれば、ＲＧＢ出力値が同一であっても異なる色は存在する。つまり、ＲＧＢ出力値はＣＣＤイメージセンサ８８の分光特性と、原稿からの分光反射光の畳込みによって決まる３値のみを扱うので、異なる分光入射に対して、畳込み値が同値となる分光反射光の分布は複数存在し得ることになる。
【００８２】
例えば、ＹＭＣの各色に変換された画像データ（[YMC]=[20,10,30]）について、ＹＭＣの共通量の一部（例えば[5]）をＫ色で置き換える（ [YMCK]=[15,5,25,5]）ことを考える。この画像データにおいてＫ色で置き換えることが可能な値の最大値は１０であるが、５０％の５を墨入れ量としている。各トナーの分光特性は異なるためにＫ色で置き換えた場合に色は変化するが、墨入れを適切に制御することでトナー総量を抑えることができるため、色変化も考慮して墨入れを実施する。
【００８３】
図１１に示すように、Ｋ版の含まれる量を考慮せずに、カラープロファイル（色変換パラメータ）を作成した場合、大きな誤差となる場合がある。例えば、墨入れ率が６０％では、色彩値の変化量が約２０となり、誤差（delta-E／墨入れ率）は、約０．３３（＝２０／６０）となる。ここで、画像読取装置のカラープロファイルを作成する場合に、画像形成装置毎に画像読取装置のカラープロファイルを作成すれば、つまり各画像形成装置の墨入れ量を含んだ画像読取装置用のカラープロファイルを作成することで、精度を担保することができる。しかし、各画像形成装置の墨入れ量を含んだ画像読取装置用のカラープロファイルを作成することは、膨大な作業を伴うので現実的ではない。画像読取装置は固有のカラープロファイルのみで、異なる画像形成装置（異なる墨入れ量）に対応できることが好ましい。
【００８４】
例えば誤差における色彩値の変化量を一定値未満（delta-E＜１）に抑えたい場合であれば、墨入れ率を３％以下の精度で検知できればよい。実際には墨入れ量（Ｋトナー量）が得られるので、誤差が最大となる条件は、墨入れ率１００％時に混色誤差３％の場合であり、墨入れ量を３％以下の誤差で検知できればよい。従って、赤外光に対する可視光の混色は３％以下に抑制することが好ましい。
【００８５】
なお、色変換には、ＲＧＢ空間とＬ＊ａ＊ｂ＊空間の非線形性に起因する誤差や、ＳＮに起因する誤差等も存在する。実際には人間の目が許容する色差（delta-E＜３）に対して、混色による色差（delta-Eは＜１程度に抑えることが望まれているため、赤外光に対する可視光の混色は３％以下に抑制することは妥当である。 
【００８６】
そこで、本実施形態では、ＣＣＤイメージセンサ８８の垂直転送期間ＶＴの立下りタイミング（ラッチタイミング）において、白色ＬＥＤ８１Ａの消灯時における蛍光成分の残光による積算値が、３％を下回るように、ラッチタイミングより前に白色ＬＥＤ８１Ａの点灯信号をオフにする。この白色ＬＥＤ８１Ａの消灯時における蛍光成分の残光による積算値が、３％を下回るまでの時間を予め導出しておくことで、ラッチタイミングより前に白色ＬＥＤ８１Ａの点灯信号をオフにすることができる。なお、白色ＬＥＤ８１Ａの電流値を制御することで、点灯時間の短縮分を補う照明輝度の増加を実施してもよい。電流値制御による輝度の増加は、照明の色味（分光）変化を生じさせるため、色変換式のパラメータは、点灯時間短縮の条件で求めておくことが好ましい。
【００８７】
図１２に、本実施形態に係る白色ＬＥＤ８１Ａ及び赤外ＬＥＤ８１Ｂの点灯及び消灯を行う一例をタイミングチャートで示す。
図１２では、図８と同様に、上段から下段の順序で、ＣＣＤ制御部１２６がＣＣＤイメージセンサ８８を動作させる制御信号（ＣＣＤ駆動クロック）、白色ＬＥＤ８１Ａを動作させる制御信号、白色ＬＥＤ８１Ａにおける青色ＬＥＤチップの発光輝度特性（応答性能）、白色ＬＥＤ８１Ａにおける黄色の蛍光物質の発光輝度特性（応答性能）、赤外ＬＥＤ８１Ｂを動作させる制御信号、及び赤外ＬＥＤ８１Ｂの発光輝度特性（応答性能）が示されている。
【００８８】
図１２に示す例では、赤外ＬＥＤ８１Ｂを点灯させるＣＣＤイメージセンサ８８の垂直転送期間ＶＴの立下りタイミング（ラッチタイミング）Ｔｏにおいて、白色ＬＥＤ８１Ａの消灯時における蛍光成分の残光による積算値が、所定値（例えば３％）を下回るように、事前に白色ＬＥＤ８１Ａの点灯信号をオフにする。
【００８９】
つまり、図１２に示すように、白色ＬＥＤ８１Ａを動作させる制御信号は、垂直転送期間ＶＴの立下りタイミングに同期してオン状態とされ、所定時間経過後にオフ状態とされる。一方、赤外ＬＥＤ８１Ｂを動作させる制御信号は、白色ＬＥＤ８１Ａがオフ状態とされた後、黄色の蛍光物質の残光が充分に少ない光量になってからオン状態に切り替えられる。
【００９０】
詳細には、白色ＬＥＤ８１Ａがオフ状態にされた場合に、青色ＬＥＤチップの応答特性に比べて、緩慢な黄色の蛍光物質の応答特性による残光時間ｔｙ以上の残光消失時間Ｔｔｈが予め定められる。そして、赤外ＬＥＤ８１Ｂを点灯させるラッチタイミングＴｏより、残光消失時間Ｔｔｈだけ以前に白色ＬＥＤ８１Ａをオフさせる。従って、白色ＬＥＤ８１Ａがオフされた際の緩慢な応答特性によって、黄色の蛍光物質の発光が残光としてＣＣＤイメージセンサ８８に照射される場合であっても、黄色の蛍光物質による残光が充分に少ない光量になった後に赤外ＬＥＤ８１Ｂによる発光がなされるので、白色ＬＥＤ８１Ａの光と赤外ＬＥＤ８１Ｂによる光とが合成された混色状態になることはない。このため、ＣＣＤイメージセンサ８８では、黄色の蛍光物質の残光がノイズとして含まれて検出されることもない。
【００９１】
次に、本実施の形態の画像読取装置１２の照明ユニット８０における（白色ＬＥＤ８１Ａ及び赤外ＬＥＤ８１Ｂの）点滅処理について説明する。なお、本実施形態では、点滅処理として、白色ＬＥＤ８１Ａの光源及び赤外ＬＥＤ８１Ｂの光源を交互に点灯及び消灯させる場合を説明する。
図１３に、本実施の形態に係る光源制御部１２８で実行される、照明ユニット８０における点滅処理の流れ一例を示す。照明ユニット８０における点滅処理は、Ｕ／Ｉ部４８によりユーザから原稿の読み取りの指示を受け付けた場合等に実行される。
【００９２】
ステップＳ１００では、全体制御部１２２から原稿の読み取り指示の取得により、残光消失時間Ｔthが導出される。残光消失時間Ｔthは、ＮＶＭ９７に予め記憶された、または全体制御部１２２から、白色ＬＥＤ８１Ａの青色ＬＥＤチップの応答特性、及び黄色の蛍光物質の応答特性を取得し、残光が充分に少ない光量に到達するまでの時間を求め、その時間以上の残光消失時間Ｔthを導出する。残光が充分に少ない光量に到達するまでの時間は、白色ＬＥＤ８１Ａが消灯されてからの残光による露光量（積算値）が、例えば３％を下回る時間である。
【００９３】
次のステップＳ１０２では、ＣＣＤ駆動クロック信号を取得し、次のステップＳ１０４で、ＣＣＤ駆動クロック信号が垂直転送期間ＶＴの立下りタイミング（ラッチタイミング）になったかを判定する。ステップＳ１０４では、ＣＣＤ駆動クロック信号が垂直転送期間ＶＴの立下りタイミング（ラッチタイミング）になるまで否定判定を繰り返し、ラッチタイミングになった場合に肯定判定し、ステップＳ１０６へ進む。ステップＳ１０６では、白色ＬＥＤ８１Ａを点灯させ、赤外ＬＥＤ８１Ｂを消灯させる。つまり、白色ＬＥＤ８１Ａがオン状態になるように、白色ＬＥＤ８１Ａの点灯を制御（制御信号をオン状態に）し、かつ赤外ＬＥＤ８１Ｂがオフ状態になるように、赤外ＬＥＤ８１Ｂの消灯を制御（制御信号をオフ状態に）する。
【００９４】
次のステップＳ１０８では、ＣＣＤ駆動クロック信号が次の垂直転送期間ＶＴの立下りタイミング（ラッチタイミングＴｏ）からステップＳ１００で導出した残光消失時間Ｔthだけ以前の時間に到達したかを判定する。ステップＳ１０８では、ＣＣＤ駆動クロック信号がラッチタイミングＴｏから残光消失時間Ｔthだけ前の時間になるまで否定判定を繰り返し、到達した場合に肯定判定し、ステップＳ１１０へ進む。ステップＳ１１０では、白色ＬＥＤ８１Ａを消灯する。つまり、白色ＬＥＤ８１Ａがオフ状態になるように、白色ＬＥＤ８１Ａの消灯を制御（制御信号をオフ状態に）し、ステップＳ１１２で進む。
【００９５】
ステップＳ１１２では、ＣＣＤ駆動クロック信号が垂直転送期間ＶＴの立下りタイミング（ラッチタイミングＴｏ）になったかを判定する。このステップＳ１１２では、ＣＣＤ駆動クロック信号がラッチタイミングＴｏになるまで否定判定を繰り返し、ラッチタイミングＴｏになった場合に肯定判定し、ステップＳ１１４へ進み、赤外ＬＥＤ８１Ｂを点灯する。つまり、赤外ＬＥＤ８１Ｂがオン状態になるように、赤外ＬＥＤ８１Ｂの点灯を制御（制御信号をオン状態に）する。
【００９６】
次のステップＳ１１６では、ＣＣＤ駆動クロック信号が次の垂直転送期間ＶＴの立下りタイミングに到達したかを判定する。ステップＳ１１６では、ＣＣＤ駆動クロック信号が次のラッチタイミングに到達するまで否定判定を繰り返し、到達した場合に肯定判定し、ステップＳ１１８へ進む。ステップＳ１１８では、点滅処理を終了するかが判定され、否定判定の場合はステップＳ１０６へ処理を戻す。一方、ステップＳ１１８で肯定判定の場合は、本処理を終了する。
【００９７】
以上説明したように、本実施の形態の画像形成装置１０の画像読取装置１２は、白色ＬＥＤ８１Ａがオフ状態にされた場合に、青色ＬＥＤチップの応答特性に比べて、緩慢な黄色の蛍光物質の応答特性による残光時間ｔｙ以上の残光消失時間Ｔｔｈが予め定められる。そして、赤外ＬＥＤ８１Ｂを点灯させるラッチタイミングＴｏより、残光消失時間Ｔｔｈだけ以前に白色ＬＥＤ８１Ａをオフさせる。これによって、白色ＬＥＤ８１Ａがオフされた際の緩慢な応答特性によって、黄色の蛍光物質の発光が残光としてＣＣＤイメージセンサ８８に照射される場合であっても、黄色の蛍光物質による残光が充分に少ない光量になった後に赤外ＬＥＤ８１Ｂによる発光がなされる。このため、白色ＬＥＤ８１Ａの光と赤外ＬＥＤ８１Ｂによる光とが合成された混色状態になることはない。また、ＣＣＤイメージセンサ８８では、黄色の蛍光物質の残光がノイズとして含まれて検出されることもない。
【００９８】
このように本実施の形態では、白色ＬＥＤ８１Ａの青色ＬＥＤチップの応答特性、及び黄色の蛍光物質の応答特性に応じて残光消失時間Ｔｔｈを定めて、赤外ＬＥＤ８１Ｂを点灯させるより残光消失時間Ｔｔｈ以前に、白色ＬＥＤ８１Ａを消灯する。従って、白色ＬＥＤ８１Ａの青色ＬＥＤチップの応答特性、及び黄色の蛍光物質の応答特性が緩慢で、消灯後に残光が生じる場合であっても、白色ＬＥＤ８１Ａの光と赤外ＬＥＤ８１Ｂの光とが混在することがなく、高精度に、不可視画像用の画像データおよび可視画像用の画像データを得ることができる。
【００９９】
なお、本実施形態では、白色ＬＥＤ８１Ａを消灯させて赤外ＬＥＤ８１Ｂを点灯させる場合に、白色ＬＥＤ８１Ａの消灯時における蛍光成分の残光による光量（積算値）が、所定値を下回るようなタイミングで、赤外ＬＥＤ８１Ｂを点灯させるより前に白色ＬＥＤ８１Ａの点灯信号をオフにする場合を説明した。このように白色ＬＥＤ８１Ａを消灯させて赤外ＬＥＤ８１Ｂを点灯させることは、白色ＬＥＤ８１Ａを消灯させた際に、白色ＬＥＤ８１Ａの蛍光成分の残光による光量が所定値を下回ってから赤外ＬＥＤ８１Ｂを点灯させてもよい。
【０１００】
本実施の形態で説明した、画像形成装置１０や画像読取装置１２、画像形成装置部１４等の構成、動作、点滅処理等は一例であり、本発明の主旨を逸脱しない範囲内において状況に応じて変更されることは言うまでもない。
【符号の説明】
【０１０１】
１０  画像形成装置
１２  画像読取装置
１４  画像形成装置部
８０  照明ユニット
８１Ａ  白色ＬＥＤ
８１Ｂ  赤外ＬＥＤ
８８  ＣＣＤイメージセンサ
９０  制御部
１２２  全体制御部
１２８  光源制御部
【図１】
2017183795.tif 000003
【図２】
2017183795.tif 000004
【図３】
2017183795.tif 000005
【図４】
2017183795.tif 000006
【図５】
2017183795.tif 000007
【図６】
2017183795.tif 000008
【図７】
2017183795.tif 000009
【図８】
2017183795.tif 000010
【図９】
2017183795.tif 000011
【図１０】
2017183795.tif 000012
【図１１】
2017183795.tif 000013
【図１２】
2017183795.tif 000014
【図１３】
2017183795.tif 000015